(57)【要約】【課題】累進屈折力レンズにおける眼球下転量の測定を、簡単、安価かつ精度高く実施できる眼球下転量測定治具、治具貼付装置、および眼球下転量測定方法を提供すること。【解決手段】テープ状マスク３は、一方の面が着脱可能に貼り付けられる粘着部３１１を有するテープ基材３１と、テープ基材３１の一方の端部に設けられた折曲部３２と、を有している。テープ基材３１は、対向する２辺のうち一方の辺を第１辺３３、他方の辺を第２辺３４とする。測定は、テープ基材３１の第１辺３３を検査用眼鏡レンズ１２の遠用アイポイントラインと一致するように配置し、第２辺３４が近用アイポイントラインと一致する幅を有するテープ基材３１を選択することによって行われる。【選択図】図２
2011048321.tif 000002
【特許請求の範囲】
【請求項１】
装着者が実際に装着する眼鏡フレームに装着される眼鏡レンズの遠用アイポイントから近用アイポイントまでの距離である眼球下転量を測定する眼球下転量測定治具であって、
前記眼鏡フレームに装着された検査用眼鏡レンズ表面に形成され、前記遠用アイポイントを通過して水平方向に延びる基準線が設けられたマスクを備えたことを特徴とする眼球下転量測定治具。
【請求項２】
請求項１に記載の眼球下転量測定治具において、
前記マスクは、前記装着者に予測される眼球下転量と同じ幅と、互いに対向する２辺とを有し、
前記基準線は、前記マスクの対向する２辺のうちいずれか一方であることを特徴とする眼球下転量測定治具。
【請求項３】
請求項１に記載の眼球下転量測定治具において、
前記マスクは、互いに対向する２辺を有し、
前記基準線は、前記対向する２辺から離れた位置に設けられたことを特徴とする眼球下転量測定治具。
【請求項４】
請求項２に記載の眼球下転量測定治具において、
前記マスクは、前記対向する２辺のうちいずれか他方が、前記近用アイポイント側に向けられて配置され、
テープ基材と、このテープ基材の検査用眼鏡レンズ側に設けられ前記検査用眼鏡レンズに着脱自在に貼り付ける粘着部と、を有するテープ状マスクであることを特徴とする眼球下転量測定治具。
【請求項５】
請求項２または請求項３に記載の眼球下転量測定治具において、
前記マスクは、前記検査用眼鏡レンズの表面の前記近用アイポイントがあると予測される領域に前記基準線と平行に形成される複数の線を有し、
テープ基材と、このテープ基材の検査用眼鏡レンズ側に設けられ前記検査用眼鏡レンズに着脱自在に貼り付ける粘着部と、を有するテープ状マスクであることを特徴とする眼球下転量測定治具。
【請求項６】
請求項５に記載の眼球下転量測定治具において、
前記複数の線は、互いに異なる色の線であることを特徴とする眼球下転量測定治具。
【請求項７】
請求項４に記載の眼球下転量測定治具を検査用眼鏡レンズに貼り付ける治具貼付装置であって、
前記検査用眼鏡レンズが眼鏡フレームに取り付けられた眼鏡を保持する眼鏡保持部材と、
この眼鏡保持部材で保持された眼鏡に前記テープ状マスクを供給するテープ供給部材と、を備え、
前記眼鏡保持部材は、
前記検査用眼鏡レンズに対向するベースと、
このベースに検査用眼鏡レンズのアイポイントを通過して水平方向に延びて形成される水平注視野に直交する方向に移動自在に取り付けられた前記眼鏡フレームを支持するフレーム支持部材と、を有し、
前記テープ供給部材は、
前記テープ状マスクをカットするカッター部材と、
このカッター部材でカットされたテープ状マスクを前記眼鏡保持部材で保持された眼鏡まで搬送し、前記テープ状マスクをその一方の辺が前記水平注視野に沿うように貼り付けるレンズ貼付部材と、を有する
ことを特徴とする治具貼付装置。
【請求項８】
請求項４に記載の眼球下転量測定治具において、
前記テープ状マスクの端部は前記粘着部同士が重合するように折り曲げて形成されていることを特徴とする眼球下転量測定治具。
【請求項９】
請求項７に記載された治具貼付装置において、
前記カッター部材は、前記テープ状マスクの端部を折り曲げる折曲形成部を有することを特徴とする治具貼付装置。
【請求項１０】
請求項５または請求項６に記載の眼球下転量測定治具を検査用眼鏡レンズに貼り付ける治具貼付装置であって、
一対の前記テープ状マスクを備えた測定テープおよび前記眼鏡を保持する眼鏡保持台を備え、
前記眼鏡保持台の上面には、
前記検査用眼鏡レンズに対応する位置に設けられた低反発性素材からなるレンズ載置部と、
前記検査用眼鏡レンズの水平方向と直交する方向に移動自在に取り付けられ、前記眼鏡のフレームを支持するフレーム支持部材と、を有することを特徴とする治具貼付装置。
【請求項１１】
請求項１０に記載の治具貼付装置において、
前記測定テープは、基材フィルムとカバーフィルムとを備え、
前記基材フィルムと前記カバーフィルムとの間に一対の前記テープ状マスクを有することを特徴とする治具貼付装置。
【請求項１２】
装着者が実際に装着する眼鏡フレームに装着される眼鏡レンズの遠用アイポイントから近用アイポイントまでの距離である眼球下転量を測定する方法であって、
前記眼鏡フレームに装着された検査用眼鏡レンズ表面に対して前記装着者に予測される眼球下転量と同じ幅を有するテープ状マスクを用い、このテープ状マスクの互いに対向する２辺のうちいずれか一方の辺を前記検査用眼鏡レンズにおける遠用アイポイントを通過するように位置決めし、いずれか他方の辺を前記検査用眼鏡レンズにおける近用アイポイント側に向けて前記検査用眼鏡レンズに貼り付けるマスク貼付工程と、
このテープ状マスクが貼り付けられた検査用眼鏡レンズが眼鏡フレームに設けられた眼鏡を前記装着者が装着して近用アイポイントが前記テープ状マスクの他方の辺と一致しているか否かを判断する判断工程と、を備え、
この判断工程で近用アイポイントが前記テープ状マスクの他方の辺と一致していないと判断した場合には前記テープ状マスクを検査用眼鏡レンズから剥がし、幅寸法の異なるテープ状マスクを貼り付けて再度判断工程を実施することを特徴とする眼球下転量測定方法。
【請求項１３】
装着者が実際に装着する眼鏡フレームに装着される眼鏡レンズの遠用アイポイントから近用アイポイントまでの距離である眼球下転量を測定する方法であって、
請求項１０に記載の治具貼付装置を用いて、前記テープ状マスクに設けられた基準線と前記遠用アイポイントとが一致するように前記眼鏡フレームを位置決めし、前記検査用眼鏡レンズを前記測定テープ側に押し付けることで前記検査用眼鏡レンズに前記テープ状マスクを貼り付けるマスク貼付工程と、
このテープ状マスクが貼り付けられた検査用眼鏡レンズが眼鏡フレームに設けられた眼鏡を前記装着者が装着して近用アイポイントが前記テープ状マスクに形成された複数の線のうちいずれの線と一致しているかを判断する測定工程と、を備えたことを特徴とする眼球下転量測定方法。
【発明の詳細な説明】
【技術分野】
【０００１】
本発明は、眼鏡レンズにおける眼球下転量測定治具、治具貼付装置、および眼球下転量測定方法に関する。
【背景技術】
【０００２】
人が物を見る際、側方あるいは上下方を見るために頭を回転させたり目を回転させたりする（視覚動作という）。このような頭の回転角度や目の回転角度は個人に特有のものであり、このような個人の視覚動作に対応した眼鏡レンズの設計方法や調整方法が種々提案されている（例えば、特許文献１および２参照）。
【０００３】
累進屈折力レンズは、遠方視に対応する屈折力（度数）を持つ遠用部領域と近方視に対応する屈折力を持つ近用部領域とを備えた非球面レンズである。遠用部領域はレンズの上方位置に設定され、近用部領域はレンズの下方位置に設定され、これら両領域の間で屈折力が累進的に変化する累進帯を備えている。これらの領域には境目がなく１枚のレンズで遠くのものから近くのものまで見ることができる。遠用部領域、近用部領域および累進帯は、個々の使用目的（遠近重視、中近重視、近々重視、フルタイム使用、パートタイム使用、静的使用、動的使用など）に合わせて調整を行う必要がある（光学的フィッティング）。光学的フィッティングの中でも、累進屈折力レンズにおいては眼球下転量が重要である。眼球下転量とは、眼鏡装着者が水平視した状態でのレンズ上の視線位置を遠用アイポイントとし、近用視した状態でのレンズ上の視線位置を近用アイポイントとしたとき、遠用アイポイントから近用アイポイントまでの距離である。
【０００４】
眼鏡装着者に対して眼鏡調整を行う場合、単焦点レンズの場合は、眼鏡情報（検眼情報、眼鏡フレーム情報、眼鏡レンズ情報）を各個体（顔の形や大きさ、首の太さ、鼻、耳、眼の相対位置や形等）に適合させる工学的フィッティングを実施する。一方、累進屈折力レンズの場合は、工学的フィッティングのほかにも、上述の光学的フィッティングを実施する必要がある。
【先行技術文献】
【特許文献】
【０００５】
【特許文献１】特表２００３−５２３２４４号公報
【特許文献２】特表２００８−５２１０２７号公報
【発明の概要】
【発明が解決しようとする課題】
【０００６】
特許文献１および特許文献２では、頭および眼球運動測定装置を用いて定量的な値を求め、これらの値に基づいて個々に最適なレンズを提供することができるものの、累進屈折力レンズにおける近用アイポイントの決定には、頭および眼球運動だけでなく姿勢も大きく関与するため、精度の高い近用アイポイントを決定することが困難な場合がある。
また、特許文献１および特許文献２のような眼球運動の測定は、お客様に対して時間的な検査負荷が大きすぎるといった問題や、検査機器が高価すぎるという問題もある。
【０００７】
本発明の目的は、累進屈折力レンズにおける眼球下転量の測定を、簡単、安価かつ精度高く実施できる眼球下転量測定治具、治具貼付装置、および眼球下転量測定方法を提供することである。
【課題を解決するための手段】
【０００８】
本発明の眼球下転量測定治具は、装着者が実際に装着する眼鏡フレームに装着される眼鏡レンズの遠用アイポイントから近用アイポイントまでの距離である眼球下転量を測定する眼球下転量測定治具であって、前記眼鏡フレームに装着された検査用眼鏡レンズ表面に形成され、前記遠用アイポイントを通過して水平方向に延びる基準線が設けられたマスクを備えたことを特徴とする。
【０００９】
眼球下転量の測定は、販売店等で消費者が実際に購入する眼鏡フレームに検査用眼鏡レンズを装着し、この検査用眼鏡レンズに対して本発明の眼球下転量測定治具を用いて行われる。検査用眼鏡レンズとしては、例えば、度の入っていないアクリル樹脂が用いられる。
この発明では、眼球下転量測定治具は、個々の眼球下転量を測定するために検査用眼鏡レンズに貼り付けられるマスクを備えている。マスクには基準線が設けられているので、この基準線が眼鏡レンズの遠用アイポイントと一致するようにマスクを配置して測定を行う。ここで、水平方向とは、このマスクを貼り付けた眼鏡レンズを装着した状態における水平方向である。
これによれば、遠用アイポイントが固定されるので、装着者が近方視したときの視線の位置を確定させることにより眼球下転量を測定することができる。
このように、装着者が実際に装着する眼鏡フレームに検査用眼鏡レンズが装着され、この検査用眼鏡レンズにマスクを用いて測定するので、装着者の視覚動作（眼や頭の動き）だけでなく、装着者が物を見るときの姿勢や癖にも応じた精度の高い測定を行うことができる。
また、測定は、装着者の検査用眼鏡レンズにおける視線が通る位置を確定させるだけでよいので、装着者に負担をかけずに簡単に行うことができるとともに、高価な設備が必要ないので、安価に実施することができる。
【００１０】
本発明の眼球下転量測定治具において、前記マスクは、前記装着者に予測される眼球下転量と同じ幅と、互いに対向する２辺とを有し、前記基準線は、前記マスクの対向する２辺のうちいずれか一方であることが好ましい。
【００１１】
この発明では、マスクは互いに対向する２辺を有し、この２辺のうちのいずれか一方の辺を遠用アイポイントを通過する位置に合わせる。これにより、いずれか他方の辺が近用アイポイントと一致するか否かを判断することで、該装着者に対して最適なマスクを選択する。なお、いずれか他方の辺と近用アイポイントとの一致は、装着者が近方視（下方視）したときの視線が検査用眼鏡レンズにおいてマスクに隠れない状態となっていればよいが、いずれか他方の辺と近用アイポイントとが離れすぎていてはいけない。このようにして、該装着者に対して最適な幅のマスクを選択することにより、このマスクの幅を眼球下転量とする測定を行うことができる。
【００１２】
これによれば、装着者が実際に装着する眼鏡フレームに検査用眼鏡レンズが装着され、この検査用眼鏡レンズにマスクを用いて測定するので、装着者の視覚動作（眼や頭の動き）だけでなく、装着者が物を見るときの姿勢や癖にも応じた精度の高い測定を行うことができる。
また、測定は、眼鏡レンズにおける視線が通るか否かによる判断を行うだけでよいので、装着者に負担をかけずに簡単に行うことができるとともに、高価な設備が必要ないので、安価に実施することができる。
【００１３】
なお、測定された眼球下転量に基づいて眼鏡レンズが設計され、設計後の眼鏡レンズに対して本発明の眼球下転量測定治具を適用することができる。これによれば、レンズ設計が、該装着者に適しているかどうかの検査（確認）を行うために利用することもできる。
【００１４】
本発明の眼球下転量測定治具において、前記マスクは、互いに対向する２辺を有し、前記基準線は、前記対向する２辺から離れた位置に設けられたことが好ましい。
【００１５】
この発明では、マスクは、対向する２辺を有する部材であり、基準線は、この２辺から離れた位置に形成されている。すなわち、基準線は、マスクを形成する２辺ではなく、マスク上に形成された直線であることを意味する。
これによれば、基準線と検査用眼鏡レンズの遠用アイポイントとを一致させてマスクを配置し、装着者が実際に装着する眼鏡フレームに検査用眼鏡レンズが装着され、この検査用眼鏡レンズにマスクを用いて測定するので、装着者の視覚動作（眼や頭の動き）だけでなく、装着者が物を見るときの姿勢や癖にも応じた精度の高い測定を行うことができる。
【００１６】
本発明の眼球下転量測定治具において、前記マスクは、前記対向する２辺のうちいずれか他方が、前記近用アイポイント側に向けられて配置され、テープ基材と、このテープ基材の検査用眼鏡レンズ側に設けられ前記検査用眼鏡レンズに着脱自在に貼り付ける粘着部と、を有するテープ状マスクであることが好ましい。
【００１７】
この発明では、粘着部により、テープ状マスクが検査用眼鏡レンズに着脱自在となるため、簡単に貼り付けたり剥がしたりすることができる。
したがって、販売店等の店員が特別な技術を要することなく、簡単に測定および検査を行うことができる。また、テープ状マスクは安価に利用することができるので、コスト低減を図ることができる。
【００１８】
本発明の眼球下転量測定治具において、前記マスクは、前記検査用眼鏡レンズの表面の前記近用アイポイントがあると予測される領域に前記基準線と平行に形成される複数の線を有し、テープ基材と、このテープ基材の検査用眼鏡レンズ側に設けられ前記検査用眼鏡レンズに着脱自在に貼り付ける粘着部と、を有するテープ状マスクであることが好ましい。
【００１９】
この発明では、近用アイポイントがあると予測される領域に複数の線を形成している。したがって、測定時には、装着者は実際に近方視したときの視線（近用アイポイント）と一致するかまたは最も近い線を判断すればよい。このようにして選択された線と基準線との距離が眼球下転量となる。
これによれば、装着者は、近方視したときの視線（近用アイポイント）がマスクに形成された複数の線のいずれかに一致するかを判断するだけでよいので、装着者に負担をかけずに簡単に測定を行うことができる。
また、近用アイポイントとなる候補が複数あるので、近用アイポイントの位置をより正確に特定することができ、精度の高い測定を行うことができる。
【００２０】
本発明の眼球下転量測定治具において、前記複数の線は、互いに異なる色の線であることが好ましい。
【００２１】
この発明によれば、複数の線が異なる色で形成されるので、装着者には色を認識しやすく、近用アイポイントがどの線と一致するかまたは最も近いかの判断を容易に行うことができる。なお、複数の線は不透明な異なる色で一定の間隔で形成されることが好ましい。
【００２２】
本発明の治具貼付装置は、前述の眼球下転量測定治具を眼鏡レンズに貼り付ける治具貼付装置であって、前記検査用眼鏡レンズが眼鏡フレームに取り付けられた眼鏡を保持する眼鏡保持部材と、この眼鏡保持部材で保持された眼鏡に前記テープ状マスクを供給するテープ供給部材と、を備え、前記眼鏡保持部材は、前記検査用眼鏡レンズに対向するベースと、このベースに検査用眼鏡レンズのアイポイントを通過して水平方向に延びて形成される水平注視野に直交する方向に移動自在に取り付けられた前記眼鏡フレームを支持するフレーム支持部材と、を有し、前記テープ供給部材は、前記テープ状マスクをカットするカッター部材と、このカッター部材でカットされたテープ状マスクを前記眼鏡保持部材で保持された眼鏡まで搬送し、前記テープ状マスクをその一方の辺が前記水平注視野に沿うように貼り付けるレンズ貼付部材と、を有することを特徴とする。
【００２３】
この発明では、検査用眼鏡レンズが眼鏡フレームに取り付けられた眼鏡を眼鏡保持部材で保持し、テープ供給部材によりテープ状マスクを形成し、このテープ状マスクを眼鏡保持部材で保持された眼鏡の検査用眼鏡レンズに貼り付ける。
眼鏡保持部材にはフレーム支持部材が設けられ、フレーム支持部材を移動させることにより、保持された眼鏡の位置を調整することができる。したがって、検査用眼鏡レンズの遠用アイポイントとテープ状マスクの一方の辺との位置合わせを簡単に行うことができる。
【００２４】
また、テープ供給部材は、カッター部材でカットされたテープ状マスクを搬送して検査用眼鏡レンズに貼り付けるレンズ貼付部材を有するので、例えば、市販のテープをセットするだけで、検査用眼鏡レンズの最適な位置にテープ状マスクを貼り付けることができる。なお、検査用眼鏡レンズのアイポイントを通過して水平方向に延びて形成される水平注視野とは、遠用アイポイントを通過して眼鏡の左右方向に延びるライン上において、装着者が左右方向に見える範囲のことを言う。
この発明によれば、テープ状マスクからなる測定治具を簡単に検査用眼鏡レンズに貼り付けることができる。したがって、販売店等で簡単に測定および検査を行うことができる。
【００２５】
本発明の眼球下転量測定治具において、前記テープ状マスクの端部は前記粘着部同士が重合するように折り曲げて形成されていることが好ましい。
【００２６】
この発明では、テープ状マスクの端部が折り曲げられるため、粘着部が露出しない部分を形成できる。したがって、この粘着部が露出しない部分を把持することができ、テープ状マスクを検査用眼鏡レンズに貼り付けたり剥がしたりする動作を容易に行うことができる。
【００２７】
本発明の治具貼付装置において、前記カッター部材は、前記テープ状マスクの端部を折り曲げる折曲形成部を有することが好ましい。
【００２８】
この発明によれば、折曲形成部により、テープ状マスクの端部に粘着部が露出しない折曲部を形成することができ、これにより、その後の搬送や貼り付けの動作を簡易に行うことができる。
特に、テープのカットと同時に折曲形成部により折曲部を形成すれば、テープ状マスクの形成工程を短縮することができる。
【００２９】
本発明の治具貼付装置は、一対の前記テープ状マスクを備えた測定テープおよび前記眼鏡を保持する眼鏡保持台を備え、前記眼鏡保持台の上面には、前記検査用眼鏡レンズに対応する位置に設けられた低反発性素材からなるレンズ載置部と、前記検査用眼鏡レンズの水平方向と直交する方向に移動自在に取り付けられ、前記眼鏡のフレームを支持するフレーム支持部材と、を有することを特徴とする。
【００３０】
この発明では、眼鏡保持台の上面に低反発性素材からなるレンズ載置部が設けられている。レンズ載置部は、２つの検査用眼鏡レンズに対応した一対の低反発性素材からなる。
したがって、レンズ載置部の上に測定テープおよび眼鏡を載置し、該眼鏡をレンズ載置部側に押し付けることによって、測定テープに含まれるテープ状マスクを検査用眼鏡レンズに貼り付けることができる。
これによれば、一対のテープ状マスクからなる測定治具を簡単に検査用眼鏡レンズに貼り付けることができるため、販売店等で簡単に測定を行うことができる。
【００３１】
本発明の治具貼付装置において、前記測定テープは、基材フィルムとカバーフィルムとを備え、前記基材フィルムと前記カバーフィルムとの間に一対の前記テープ状マスクを有することが好ましい。
【００３２】
この発明では、測定テープは、基材フィルムとカバーフィルムとの間にテープ状マスクを挟持している。測定は、一対の検査用眼鏡レンズそれぞれで行う必要があるため、一対のテープ状マスクが必要である。したがって、一対のテープ状マスクは、基材フィルムとカバーフィルムとの間で位置がそれぞれ固定されるので、テープ状マスクを検査用眼鏡レンズに貼り付ける際、テープ状マスクの位置決めをそれぞれで行う必要がない。すなわち、テープ状マスクを簡単に眼鏡レンズに貼り付けることができる。
また、テープ状マスクはカバーフィルムで覆われているため、テープ状マスクの表面に塗布された接着剤が露出しないので、取り扱いが容易であり、流通性を向上させることができる。
【００３３】
本発明の眼球下転量測定方法は、装着者が実際に装着する眼鏡フレームに装着される眼鏡レンズの遠用アイポイントから近用アイポイントまでの距離である眼球下転量を測定する方法であって、前記眼鏡フレームに装着された検査用眼鏡レンズ表面に対して前記装着者に予測される眼球下転量と同じ幅を有するテープ状マスクを用い、このテープ状マスクの互いに対向する２辺のうちいずれか一方の辺を前記検査用眼鏡レンズにおける遠用アイポイントを通過するように位置決めし、いずれか他方の辺を前記検査用眼鏡レンズにおける近用アイポイント側に向けて前記検査用眼鏡レンズに貼り付けるマスク貼付工程と、このテープ状マスクが貼り付けられた検査用眼鏡レンズが眼鏡フレームに設けられた眼鏡を前記装着者が装着して近用アイポイントが前記テープ状マスクの他方の辺と一致しているか否かを判断する判断工程と、を備え、この判断工程で近用アイポイントが前記テープ状マスクの他方の辺と一致していないと判断した場合には前記テープ状マスクを検査用眼鏡レンズから剥がし、幅寸法の異なるテープ状マスクを貼り付けて再度判断工程を実施することを特徴とする。
【００３４】
この発明では、装着者に対して予測される眼球下転量と同じ幅を有するテープ状マスクを検査用眼鏡レンズに貼り付けるマスク貼付工程を行う。この工程では、テープ状マスクの一方の辺を遠用アイポイントを通過して水平方向に延びて形成される水平注視野に一致させ、他方の辺を近用アイポイント側に向けた状態で、テープ状マスクを検査用眼鏡レンズに貼り付ける。
次に、テープ状マスクを貼り付けた眼鏡を装着者が実際に装着し、近方視したときの視線（近用アイポイント）がテープ状マスクの他方の辺と一致するか否かを判断する判断工程を行う。判断は、装着者が行ってもよいし、測定実施者が行ってもよい。なお、近用アイポイントとテープ状マスクの他方の辺との一致は、検査用眼鏡レンズ上で視線が通るか否かにより行う。
【００３５】
判断工程において、近方視したときの視線（近用アイポイント）がテープ状マスクに隠れて通らないと判断した場合は、テープ状マスクを検査用眼鏡レンズから剥がし、より幅の小さいテープ状マスクを前述と同様にして貼り付けて、再度判断工程を実施する。
一方、近用アイポイントと、テープ状マスクの他方の辺とが一致したと判断された場合は、該テープ状マスクの幅が眼球下転量となる。
【００３６】
これによれば、装着者が実際に装着する眼鏡フレームに検査用眼鏡レンズが装着され、この検査用眼鏡レンズにマスクを用いて測定するので、装着者の視覚動作（眼や頭の動き）だけでなく、装着者が物を見るときの姿勢や癖にも応じた精度の高い測定を行うことができる。
また、測定は、検査用眼鏡レンズにおける視線が通るか否かによる判断を行うだけでよいので、装着者に負担をかけずに簡単に行うことができるとともに、高価な設備が必要ないので、安価に実施することができる。
【００３７】
さらに、測定治具としてテープ状マスクを用いるため、簡単に検査用眼鏡レンズに貼り付けたり剥がしたりすることができる。
したがって、販売店等の店員が特別な技術を要することなく、簡単に測定および検査を行うことができる。また、テープ状マスクは安価に利用することができるので、コスト低減を図ることができる。
【００３８】
本発明の眼球下転量測定方法は、装着者が実際に装着する眼鏡フレームに装着される眼鏡レンズの遠用アイポイントから近用アイポイントまでの距離である眼球下転量を測定する方法であって、請求項１０に記載の治具貼付装置を用いて、前記テープ状マスクに設けられた基準線と前記遠用アイポイントとが一致するように前記眼鏡フレームを位置決めし、前記検査用眼鏡レンズを前記測定テープ側に押し付けることで前記検査用眼鏡レンズに前記テープ状マスクを貼り付けるマスク貼付工程と、このテープ状マスクが貼り付けられた検査用眼鏡レンズが眼鏡フレームに設けられた眼鏡を前記装着者が装着して近用アイポイントが前記テープ状マスクに形成された複数の線のうちいずれの線と一致しているかを判断する測定工程と、を備えたことを特徴とする。
【００３９】
この発明では、テープ状マスクに設けられた基準線と検査用眼鏡レンズの遠用アイポイントとが一致するように眼鏡フレームを位置決めし、検査用眼鏡レンズを測定テープ側に押し付けることによって、検査用眼鏡レンズにテープ状マスクを貼り付ける。
次に、テープ状マスクを貼り付けた眼鏡を装着者が実際に装着し、近方視したときの視線（近用アイポイント）がテープ状マスクに形成された複数の線のうちいずれの線と一致するかまたは最も近いかの判断を行う。
【００４０】
これによれば、装着者が実際に装着する眼鏡フレームに検査用眼鏡レンズが装着され、この検査用眼鏡レンズにテープ状マスクを貼り付けて測定するので、装着者の視覚動作（目や頭の動き）だけでなく、装着者が物を見るときの姿勢や癖にも応じた精度の高い測定を行うことができる。
また、測定は、視線がいずれの線と一致するかまたは最も近いかの判断を行うだけでよいので、装着者に負担をかけずに簡単に行うことができるとともに、高価な設備が必要ないので安価に実施することができる。
【図面の簡単な説明】
【００４１】
【図１】本発明の第１実施形態にかかる眼球下転量測定治具を貼り付ける累進屈折力レンズを示す概略図。
【図２】前記第１実施形態にかかる治具貼付装置の構成の一部を示す概略平面図。
【図３】前記第１実施形態における治具貼付装置の構成を示す概略正面図。
【図４】前記第１実施形態においてテープ状マスクを切断する工程を示す説明図。
【図５】前記第１実施形態において眼球下転量測定治具を貼り付ける工程を示す説明図。
【図６】前記第１実施形態においてテープ状マスクを貼り付けた状態で眼球下転量を測定する様子を示す説明図。
【図７】前記第１実施形態においてテープ状マスクを貼り付けた状態で眼球下転量を測定する様子を示す説明図。
【図８】本発明の第２実施形態にかかる眼球下転量測定治具を検査用眼鏡レンズに貼付した状態を示す概略平面図。
【図９】前記第２実施形態における眼球下転量測定治具を含む測定テープの構成を示す概略平面図。
【図１０】図９のＸ−Ｘ断面図。
【図１１】前記第２実施形態にかかる治具貼付装置の構成を示す概略図であり、（Ａ）は平面図、（Ｂ）は（Ａ）のＸＩ−ＸＩ断面図。
【図１２】前記第２実施形態において眼球下転量測定治具を検査用眼鏡レンズに貼り付ける工程を示す説明図。
【図１３】前記第２実施形態において眼球下転量測定治具が検査用眼鏡レンズに貼り付けられた状態を示す断面図。
【図１４】前記第２実施形態において装着者に実際に見えるラインを示す説明図。
【図１５】前記第２実施形態において装着者に実際に見えるラインを示す説明図。
【図１６】前記第２実施形態における治具貼付装置の変形例を示す概略図であり、（Ａ）は平面図、（Ｂ）は（Ａ）のＸＶＩ−ＸＶＩ断面図。
【図１７】前記第２実施形態における眼球下転量測定治具の変形例を示す概略平面図。
【図１８】前記第２実施形態における眼球下転量測定治具を含む測定テープの変形例を示す概略平面図。
【発明を実施するための形態】
【００４２】
〔第１実施形態〕
以下、本発明の第１実施形態を図面に基づいて説明する。
眼球下転量の測定は、販売店等で消費者が実際に購入する眼鏡フレームに検査用眼鏡レンズを装着し、この検査用眼鏡レンズに対して本発明の眼球下転量測定治具を用いて行われる。検査用眼鏡レンズとしては、例えば、度の入っていないアクリル樹脂等が用いられる。そして、測定された眼球下転量に基づいて眼鏡レンズを設計する。この眼鏡レンズは累進屈折力レンズであり、この累進屈折力レンズが設計どおりであるか否かの確認を行う場合は、設計後の眼鏡レンズに対して本発明の眼球下転量測定治具を適用することができる。
また、本実施形態では、眼鏡を装着した場合の鉛直方向を上下方向、眼鏡を装着した場合の水平方向を左右方向として説明する。
【００４３】
（１．眼鏡レンズ）
図１に示すように、眼鏡レンズ１０となる累進屈折力レンズは、上方に位置する遠用部領域１１と、下方に位置する近用部領域１２と、これら遠用部領域１１と近用部領域１２との間に位置する累進帯１３と、累進帯１３の側方に隣接した側方領域１４と、を有している。
【００４４】
遠用部領域１１は、遠方視するのに適した相対的にプラス度数の低い平均度数を備えている。特に、装着者が正面視をした場合に瞳中心を通る水平線（つまり視線）が通過する位置を遠用アイポイントＦＰとし、遠用アイポイントＦＰを通過して左右方向に延びる線分であって、遠用部領域１１における線分を遠用アイポイントラインＦＬとする。
【００４５】
近用部領域１２は、近方視（例えば、読書）するのに適した相対的にプラス度数の高い平均度数を備えている。特に、装着者が近方視（下方視）した場合の視線が通過する位置を近用アイポイントＮＰとし、近用アイポイントＮＰを通過して左右方向に延びる線分であって、近用部領域１２における線分を近用アイポイントラインＮＬとする。
本実施形態では、眼球下転量として、遠用アイポイントラインＦＬと近用アイポイントラインＮＬ間の上下方向の距離（長さ）Ｌを測定するものである。
【００４６】
累進帯１３は、遠用部領域１１と近用部領域１２との間で相対的なプラス加入度数が累進的に変化する領域である。
側方領域１４は、非点収差領域と呼ばれるエリアである。側方領域１４を通して見ると物が二重に見えたりするため、通常、装着者は側方領域１４を通して物を見ない。
【００４７】
眼鏡レンズ１０は、このような累進屈折力レンズを成形加工することにより得られ、得られた眼鏡レンズ１０は眼鏡フレーム２０に装着されて眼鏡１００となる（図２および図３参照）。
眼鏡フレーム２０は、眼鏡レンズ１０を装着して枠状に取り囲むフレーム枠２１と、左右のフレーム枠２１を連結するブリッジ２２と、フレーム枠２１からヒンジを介して回動可能に取り付けられたテンプル２３と、を備えている。
なお、眼球下転量の測定は、アクリル樹脂製の検査用眼鏡レンズ１２が眼鏡フレーム２０に装着された眼鏡１００を用いて行われる。以降は、眼鏡フレーム２０に検査用眼鏡レンズ１２が装着されているものとして説明する。
【００４８】
（２．眼球下転量測定治具）
次に、眼鏡レンズ１０における眼球下転量の長さを測定するための測定治具について説明する。ここで、眼球下転量とは、遠用アイポイントＦＰから近用アイポイントＮＰまでの距離であり、眼鏡レンズ１０における遠用アイポイントラインＦＬと近用アイポイントラインＮＬ間の上下方向の距離（長さ）Ｌである。
眼球下転量の長さＬを測定するための測定治具として、図２に示すテープ状マスク３を用いる。測定治具は、装着者が実際に購入する眼鏡フレーム２０に枠入れされたアクリル樹脂製の検査用眼鏡レンズ１２に貼り付けられる。テープ状マスク３としては、例えば市販のメンディングテープ（住友スリーエム株式会社製）を用いることができる。
【００４９】
テープ状マスク３は、一方の面が着脱可能に貼り付けられる粘着部３１１を有するテープ基材３１と、テープ基材３１の一方の端部に設けられた折曲部３２と、を有している。
テープ基材３１は、検査用眼鏡レンズ１２に貼り付けた状態における上下方向の幅が例えば、１０ｍｍ、１０．５ｍｍ、１１ｍｍ、１１．５ｍｍ、１２ｍｍ、１２．５ｍｍ、１３ｍｍ、１３．５ｍｍ、１４ｍｍ、１４．５ｍｍ、１５ｍｍのものがある。テープ基材３１は、対向する２辺により上記の幅を形成しており、対向する２辺のうち一方の辺を第１辺３３、他方の辺を第２辺３４とする。
なお、上記幅を有する各種テープ基材３１のうち、装着者に適切な眼球下転量の長さと一致する幅のテープ基材３１で測定した場合は、第１辺３３は検査用眼鏡レンズ１２の遠用アイポイントラインＦＬと一致し、第２辺３４は検査用眼鏡レンズ１２の近用アイポイントラインＮＬと一致する。
【００５０】
テープ基材３１は、検査用眼鏡レンズ１２に貼り付けた状態における左右方向の長さは特に限定されないが、検査用眼鏡レンズ１２の左右方向の幅より小さければよい。
測定は、テープ基材３１の第１辺３３を検査用眼鏡レンズ１２の遠用アイポイントラインＦＬと一致するように配置し、第２辺３４が近用アイポイントラインＮＬと一致する幅を有するテープ基材３１を選択することによって行われる。このテープ基材３１の幅が、眼球下転量の長さＬとなる。
【００５１】
折曲部３２は、粘着部３１１同士を重合させることによって形成された非接着部分である。テープ状マスク３を検査用眼鏡レンズ１２に貼り付けたり剥がしたりする際に後述の治具貼付装置４００の把持部６４１により把持される。
【００５２】
（３．治具貼付装置の構成）
次に、テープ状マスク３を検査用眼鏡レンズ１２に貼り付ける治具貼付装置４００について説明する。
図３に示すように、治具貼付装置４００は、眼鏡１００を保持する眼鏡保持部材５と、眼鏡保持部材５に保持された眼鏡１００にテープ状マスク３を供給するテープ供給部材６と、眼鏡保持部材５とテープ供給部材６とを連結する図示しない連結部と、を備えている。
【００５３】
眼鏡保持部材５は、眼鏡１００を載置したときに検査用眼鏡レンズ１２と対向する載置面５１１を上面として有する直方体状に形成されたベース５１と、このベース５１の載置面５１１に沿って一方向に移動自在に設けられ、眼鏡１００を適切な位置で支持するフレーム支持部材５２と、を備えている。
【００５４】
ベース５１は、載置面５１１と直交する、対向する一組の第１側面部５１２、および対向する別の一組の第２側面部５１３を有している。眼鏡１００を保持するには、検査用眼鏡レンズ１２の外面が鉛直上向きとなる状態に、検査用眼鏡レンズ１２が装着されたフレーム枠２１が載置面５１１に載置されるとともに、左右のテンプル２３はそれぞれ対向する第１側面部５１２に沿う状態とされる。載置面５１１は、平面状に形成されており、載置面５１１に載置された眼鏡１００は載置面５１１に沿って眼鏡１００の上下方向に移動可能とされる。また、載置面５１１には、検査用眼鏡レンズ１２にマークされた遠用アイポイントＦＰとの位置合わせを行うための位置合わせラインＰＬが形成されている。
また、第１側面部５１２の上部、すなわち載置面５１１の縁部近傍には、載置面５１１と平行に、凹状の切欠部５１４が直線状に形成されている。
【００５５】
フレーム支持部材５２は、第２側面部５１３の左右方向の長さ以上の長さを有する長尺状の部材である。フレーム支持部材５２は、その両端がＵ字状（フック状）に折り曲げられた係合部５２１を形成している。両方の係合部５２１の先端は、ベース５１の切欠部５１４に係合し、検査用眼鏡レンズ１２の上下方向に移動自在とされている。フレーム支持部材５２は、フレーム枠２１の下辺２１１に接した状態で移動することにより、眼鏡１００の位置を調整する。フレーム支持部材５２は図示しない制御手段により制御され、検査用眼鏡レンズ１２の遠用アイポイントＦＰと載置面５１１上の位置合わせラインＰＬとの位置合わせが自動的に行われる。なお、検査用眼鏡レンズ１２の遠用アイポイントＦＰと載置面５１１上の位置合わせラインＰＬとの位置合わせは、位置合わせラインＰＬ上に遠用アイポイントＦＰが来たことを検知可能な検知手段を設けることにより行うことができる。
【００５６】
テープ供給部材６は、送出テープ６１１を送り出す送出部６１と、送出テープ６１１をカット（切断）し、カットされた送出テープ６１１の端部を折り曲げて折曲部３２を形成するカッター部６２と、カッター部６２により形成されたテープ状マスク３を検査用眼鏡レンズ１２に圧着するための圧着部材６３１をテープ状マスク３に接着させる接着処理部６３と、圧着部材６３１が接着されたテープ状マスク３を眼鏡１００まで搬送して検査用眼鏡レンズ１２に貼り付けるレンズ貼付部材６４と、を備えている。
【００５７】
送出部６１は、市販のメンディングテープであり、送出テープ６１１をカッター部６２へ送り出す。
カッター部６２は、送出テープ６１１を切断する切断部６２１と、切断部６２１を受ける切断受部６２２と、切断された送出テープ６１１の端部に折曲部３２を形成するための折曲支持部６２３、折曲生成部６２４、折曲仕上部６２５と、を有している。なお、折曲支持部６２３、折曲生成部６２４、および折曲仕上部６２５を折曲形成部とする。
【００５８】
切断部６２１は、基部６２６に一つの鋭角が上向きとされた断面略三角形状に突出して形成されており、該鋭角が切断刃６２１Ａを形成している。切断部６２１は送出テープ６１１の端部から所定の距離の位置に刃が位置するように設けられ、送出テープ６１１の進行方向に対して垂直方向（鉛直方向）に移動自在とされる。所定の距離とは、テープ状マスク３の長さ（例えば、５０ｍｍ）に相当する距離である。
切断受部６２２は、切断部６２１の切断刃６２１Ａを受ける接触面６２２Ａを有し送出テープ６１１を挟んで切断部６２１と対向する位置に固定されている。
切断部６２１が鉛直上方向（切断受部６２２に近づく方向）に移動し、切断刃６２１Ａが切断受部６２２の接触面６２２Ａに接触することにより、送出テープ６１１は切断される。このように切断されると、テープ基材３１と折曲部３２とからなるテープ状マスク３が完成する。
【００５９】
折曲支持部６２３は、基部６２６に鉛直上向きに突出した断面略台形状に形成され、切断部６２１よりも送出部６１側に、切断部６２１と一体的に設けられている。折曲支持部６２３の切断部６２１に対向する側の壁面６２３Ａは送出テープ６１１の進行方向に対して９０°以上の傾斜をもって形成され、壁面６２３Ａと折曲支持部６２３の上面６２３Ｂとの角度は０°より大きく９０°以下であることが好ましい。折曲支持部６２３と切断部６２１との距離は、テープ状マスク３の折曲部３２の半分の長さに相当する。例えば、折曲部３２の長さが１０ｍｍである場合は、折曲支持部６２３と切断部６２１との距離は５ｍｍである。折曲支持部６２３は、切断部６２１および基部６２６とともに送出テープ６１１の進行方向に対して直交する方向（鉛直方向）に動作する。
【００６０】
折曲生成部６２４は、平板状の部材であり、送出テープ６１１を挟んで折曲支持部６２３の略鉛直上部に設けられる。折曲生成部６２４は、送出テープ６１１の進行方向に対して垂直方向（鉛直方向）に移動自在とされており、折曲生成部６２４と折曲支持部６２３が互いに近づく方向に移動したとき、折曲生成部６２４の一方の面と折曲支持部６２３の壁面６２３Ａとが当接する。切断部６２１で送出テープ６１１が切断されると、折曲生成部６２４は鉛直下方向（折曲支持部６２３に近づく方向）に移動し、送出テープ６１１の端部を挟んで壁面６２３Ａに当接する。これにより、送出テープ６１１の端部は壁面６２３Ａと上面６２３Ｂに沿う状態となり、折り目が形成される。
【００６１】
折曲仕上部６２５は、平板状の部材であり、折曲支持部６２３に対して送出テープ６１１の進行方向側に、一方の面が送出テープ６１１と平行となる状態に配置されている。折曲仕上部６２５は、送出テープ６１１と平行に移動自在とされている。折曲支持部６２３と折曲生成部６２４により送出テープ６１１の端部に折り目が形成され、折曲支持部６２３と折曲生成部６２４とが離れる方向に移動した後、折曲仕上部６２５は、折り目の付けられた送出テープ６１１の進行方向とは反対方向に移動し、折り目端部を押して送出テープ６１１の粘着部同士を重合させる（貼り合わせる）。これにより、折曲部３２が形成される。
【００６２】
接着処理部６３は、圧着部材６３１をテープ状マスク３の表面に接着させる。圧着部材６３１としては、例えば、スポンジが挙げられる。また、接着剤としては、力を加えない状態では圧着部材６３１とテープ状マスク３とが剥離せず、力を加えると簡単に剥離する程度の接着力を有するものが好ましい。なお、空気等の吸引または液体の表面張力を利用して、圧着部材６３１をテープ状マスク３の表面に着けてもよい。
【００６３】
レンズ貼付部材６４は、テープ状マスク３の折曲部３２を把持する把持部６４１と、把持部６４１の動作を制御する制御部６４２と、を有している。
把持部６４１は、折曲部３２を把持し、折曲部３２を把持した状態で眼鏡１００の上部に移動する。そして、左右の検査用眼鏡レンズ１２のうちいずれか一方の検査用眼鏡レンズ１２の表面に下降し、検査用眼鏡レンズ１２の遠用アイポイントラインＦＬと、テープ状マスク３の第１辺３３とが一致するように、テープ状マスク３を検査用眼鏡レンズ１２に載置する。なお、把持部６４１の移動方向は、テープ供給部材６から眼鏡保持部材５までの眼鏡１００における左右方向と、検査用眼鏡レンズ１２に下降するための鉛直方向である。
制御部６４２は、把持部６４１をテープ供給部材６から眼鏡保持部材５に保持された検査用眼鏡レンズ１２にまで移動させ、把持部６４１が上述の所定の動作を行うように制御する。
【００６４】
図示しない連結部は、眼鏡保持部材５とテープ供給部材６とを連結し、眼鏡１００における上下方向の位置を固定する。なお、眼鏡保持部材５とテープ供給部材６とは、眼鏡１００における左右方向への移動は可能とされており、テープ状マスク３を貼り付ける際に、左右の検査用眼鏡レンズ１２の位置を調整することができる。
したがって、テープ状マスク３の第１辺３３と、検査用眼鏡レンズ１２の遠用アイポイントラインＦＬとの位置合わせは、フレーム支持部材５２を移動させることで眼鏡保持部材５に保持された眼鏡１００の位置を調整する。
【００６５】
（４．眼球下転量測定方法）
次に、治具貼付装置４００を用いてテープ状マスク３を形成するマスク形成工程と、テープ状マスク３を検査用眼鏡レンズ１２に貼り付けるマスク貼付工程と、貼り付けられたテープ状マスク３により、眼球下転量を測定する測定工程について説明する。
まず、図３に示すように、眼鏡１００の眼鏡フレーム２０を開き、検査用眼鏡レンズ１２とベース５１の載置面５１１とが対向するように、すなわちテンプル２３が第１側面部５１２に沿う状態となるように、眼鏡１００をベース５１に載置する。検査用眼鏡レンズ１２には、予め遠用アイポイントＦＰが確定され、その位置にマークが付けられている。したがって、眼鏡１００をベース５１に載置すると、図示しない制御手段によりフレーム支持部材５２が移動し、遠用アイポイントＦＰと位置合わせラインＰＬとの位置合わせが自動的に行われる。このように遠用アイポイントＦＰに位置合わせされた位置合わせラインＰＬは、検査用眼鏡レンズ１２における遠用アイポイントラインＦＬとなる。
【００６６】
（４−１．マスク形成工程）
次に、テープ状マスク３を形成する。装着者に対して予測される眼球下転量の長さＬと同じ幅を有するメンディングテープをテープ供給部材６の送出部６１に取り付ける。その後、送出部６１から送出テープ６１１を送り出し、最初の折曲部３２を形成するために、適当な位置で切断処理を行う。なお、ここで行う切断処理は、送出テープ６１１を最初に使用する際に、送出テープ６１１の端部に折曲部３２を形成するために行うものであり、これ以降の工程では、送出テープ６１１の端部から所定距離ごとに同様の切断処理が行われる。
【００６７】
ここで、切断処理について図４を用いて詳しく説明する。
図４（Ａ）は、切断部６２１が鉛直上方向に移動して切断受部６２２の接触面６２２Ａに接触し、切断刃６２１Ａにより送出テープ６１１が切断された状態である。このように送出テープ６１１が切断された直後は、図４（Ｂ）に示すように、折曲生成部６２４が鉛直下方向に移動し、送出テープ６１１の端部は折曲支持部６２３の壁面６２３Ａと上面６２３Ｂとに沿って折り目が形成される。次に、図４（Ｃ）に示すように、折曲支持部６２３および折曲生成部６２４を互いに離れる方向に移動させた後、折曲仕上部６２５を送出テープ６１１の進行方向とは反対の方向に移動させ、送出テープ６１１の折り目により形成された折曲端部を押し込む。これにより、図４（Ｄ）に示すような折曲部３２が形成される。
【００６８】
切断処理により折曲部３２が形成された送出テープ６１１は、把持部６４１で折曲部３２を把持できる位置まで送り出される。そして、図５（Ａ）に示すように、把持部６４１は折曲部３２を把持し、さらに接着処理部６３により接着剤が塗布された圧着部材６３１を送出テープ６１１の表面に載置する。これにより、圧着部材６３１は、送出テープ６１１に接着される。そして、再度切断処理が行われると、テープ状マスク３が形成される（図５（Ｂ）参照）。
【００６９】
（４−２．マスク貼付工程）
次に、図５（Ｂ）に示すように、把持部６４１により、テープ状マスク３を検査用眼鏡レンズ１２の上部まで移動させる。
さらに、把持部６４１を制御して鉛直下方向（検査用眼鏡レンズ１２に近づく方向）に移動させ、検査用眼鏡レンズ１２の遠用アイポイントラインＦＬとテープ状マスク３の第１辺３３とが一致するように、テープ状マスク３を検査用眼鏡レンズ１２上に載置する（図５（Ｃ）参照）。
テープ状マスク３は、圧着部材６３１により検査用眼鏡レンズ１２の表面に圧着される。テープ状マスク３が検査用眼鏡レンズ１２に貼り付けられると、圧着部材６３１を剥がす。
このようにして、一方の検査用眼鏡レンズ１２にテープ状マスク３を貼り付けた後、ベース５１の位置を調整し、同様にして他方の検査用眼鏡レンズ１２にテープ状マスク３を貼り付ける。
【００７０】
（４−３．測定工程（判断工程））
装着者は、検査用眼鏡レンズ１２にテープ状マスク３が貼り付けられた眼鏡１００を装着し、遠方視および近方視した際の視線の位置を確認する。
具体的には、図６（Ａ）に示すように、眼鏡１００を装着した状態で、正面視をした場合の瞳中心（視線）が、テープ状マスク３の第１辺３３を通過するか否かを確認する（遠用アイポイントの確認）。なお、本実施形態では、遠用アイポイントは予め正面視をした場合の瞳中心の位置を確定しているため、第１辺３３上を視線が通過するのは当然である。なお、視線が第１辺３３上を通過しない場合は、再度遠用アイポイントラインＦＬを確定させた後に、再度測定を実施する。
【００７１】
次に、図６（Ｂ）に示すように、眼鏡１００を装着した状態で、読書をしている（近方視）場合の瞳中心（視線）が、テープ状マスク３の第２辺３４上を通過するか否かを判断する（近用アイポイントの位置を判断する）。図７には、テープ状マスク３の幅が大きい場合の例が示されている（図７（Ａ）参照）。図７（Ｂ）のように近方視したときの視線はテープ状マスク３に隠れて確認できない。すなわち、近用アイポイントＮＰがテープ状マスク３の第２辺３４に一致しないと判断する。このような場合はテープ状マスク３の幅が大きいので、より幅の小さいテープ状マスク３で再度測定を行う。また、視線がテープ状マスク３の第２辺３４と離れた位置に確認される場合はテープ状マスク３の幅が小さいので、より幅の大きいテープ状マスク３で再度測定を行う。このようにして、近用アイポイントＮＰがテープ状マスク３の第２辺３４と一致するか否かの判断を行い、最適な幅のテープ状マスク３を選択する。最終的に選択されたテープ状マスク３の幅が、該装着者に対応する眼球下転量の長さＬである。
【００７２】
（５．第１実施形態の作用効果）
以上のような第１実施形態によれば、以下の作用効果を奏することができる。
本実施形態では、所定の幅を有するテープ状マスク３を用いて、各個人の眼球下転量の長さＬを測定する。測定実施者は、各種幅のテープ状マスク３を検査用眼鏡レンズ１２の表面に貼り付けるだけでよいので、簡単かつ安価に測定を行うことができる。特に、店頭などで簡単に行えるため、有用性が高い。
また、装着者が実際に装着する眼鏡フレームを装着した状態で測定を行うことができるので、装着者の頭および眼球運動（視覚動作）だけでなく、装着者の姿勢にも応じた測定を行うことができる。したがって、眼鏡フレームや装着者の物を見る時の癖（姿勢）にも応じた各個人に最適な眼球下転量の長さＬを精度高く測定することができる。
【００７３】
さらに、装着者は、テープ状マスク３が貼り付けられた眼鏡１００を装着し、遠方視したときと近方視したときにテープ状マスク３の第１辺３３上および第２辺３４上を視線が通るか否かを判断するだけでよいので、より簡単に測定を行うことができる。なお、測定実施者が、装着者の視線が通るか否かを目視で判断してもよく、複数の判断を得ることができ、より正確な測定を行うことができる。
【００７４】
そして、テープ状マスク３の第１辺３３上および第２辺３４上を視線が通らない場合はテープ状マスク３を剥がして幅の異なるテープ状マスク３を再度貼り付けるだけでよいので、測定実施者に特別な技術がなくとも簡単に測定を実施することができる。
また、テープ状マスク３は粘着部同士が貼り付けられて形成された折曲部３２を有しているので、把持部６４１は折曲部３２を把持しやすく、テープ状マスク３を移動させたり、貼り付けたり、剥がしたりする操作を簡単かつ効率よく実施することができる。また、テープ状マスク３の粘着部３１１は、着脱自在となる程度の粘着力であるので、検査用眼鏡レンズ１２から簡単に剥がすことができる。
【００７５】
また、治具貼付装置４００は、テープ供給部材６により、送出テープ６１１を切断し、折曲部３２を形成することができる。したがって、簡単かつ効率的にテープ状マスク３を形成することができ、工程および所要時間の短縮を図ることができる。
さらに、眼鏡保持部材５とテープ供給部材６とは眼鏡１００の上下方向に対して予め位置決めされており、テープ状マスク３の第１辺３３と遠用アイポイントラインＦＬとの位置合わせは、フレーム支持部材５２を移動させるだけでよい。したがって、各眼鏡フレームに応じて簡単に位置合わせを行うことができる。
【００７６】
そして、テープ状マスク３を貼り付ける際、圧着部材６３１をテープ基材３１の粘着部３１１とは反対側の面に接着した状態とした。これにより、テープ状マスク３を検査用眼鏡レンズ１２に載置したときに、テープ状マスク３によれや歪みが発生することを防止することができる。また、圧着部材６３１の重みにより、テープ状マスク３を検査用眼鏡レンズ１２に確実に貼り付けることができる。
【００７７】
〔第２実施形態〕
次に、本発明の第２実施形態を図面に基づいて説明する。第２実施形態の眼鏡レンズ（累進屈折力レンズ）は第１実施形態と同様の構成であるので説明を省略する。
【００７８】
（１．眼球下転量測定治具）
図８には、第２実施形態にかかる眼球下転量測定治具が検査用眼鏡レンズ１２に貼付された状態が示されている。第２実施形態では、眼球下転量の長さを測定するための測定治具として、図８に示すテープ状マスク７０を用いる。
テープ状マスク７０は、透視可能な透明なフィルムで形成され、一方の面が着脱可能に貼り付けられる長方形状の接着部７１と、接着部７１の対向する２辺に隣接して設けられる一対の非接着部７２と、を有している。ここで、透視可能な透明なフィルムは、テープ状マスク７０を介して文字が読める程度に透視できる透明度を有する。
接着部７１は、無色透明であり、その表面には複数のマークが形成されている。遠用アイポイントＦＰを示すＦＰライン７３と、近用アイポイントと予測される領域に形成される第１のＮＰライン７４、第２のＮＰライン７５、および第３のＮＰライン７６と、を有している。接着部７１の左右方向の長さは特に限定されないが、検査用眼鏡レンズ１２の左右方向の幅より小さい。
【００７９】
ＦＰライン７３は、検査用眼鏡レンズ１２における遠用アイポイントＦＰを通過して検査用眼鏡レンズ１２の左右方向に直線状に延びる遠用アイポイントラインＦＬと一致する直線である。遠用アイポイントＦＰは、装着者が眼鏡１００を実際に装着した状態で水平視した場合に視線が通る位置であり、予めその位置が確定されている。
第１のＮＰライン７４、第２のＮＰライン７５、および第３のＮＰライン７６は、近用アイポイントＮＰがあると予測される領域に形成され、ＦＰライン７３と平行に形成される直線である。これらの線の幅は特に限定されないが、例えば１ｍｍである。また、これらの線の間隔は特に限定されないが、例えば２ｍｍである。また、第１のＮＰライン７４、第２のＮＰライン７５、および第３のＮＰライン７６は、互いに異なる不透明な色で形成され、第１のＮＰライン７４は赤色、第２のＮＰライン７５は緑色、第３のＮＰライン７６は青色である。
【００８０】
テープ状マスク７０は、ＦＰライン７３が、検査用眼鏡レンズ１２の遠用アイポイントＦＰを通る遠用アイポイントラインＦＬに一致するように貼り付けられている。装着者が近方視したときに最も近くに見えるラインの位置を近用アイポイントＮＰとして、ＦＰライン７３と選択されたラインの位置までの距離を眼球下転量の長さとする。
非接着部７２は、検査用眼鏡レンズ１２に接着されていない部分である。この非接着部７２を把持することでテープ状マスク７０を検査用眼鏡レンズ１２を容易に剥離することができる。
【００８１】
（２．治具貼付装置の構成）
次に、テープ状マスク７０を検査用眼鏡レンズ１２に貼り付ける治具貼付装置について説明する。
まず、治具貼付装置に載置される測定テープについて説明する。図９および図１０に示すように、測定テープ７００は、基材フィルム７１１とカバーフィルム７１２とが積層され、基材フィルム７１１とカバーフィルム７１２との間にテープ状マスク７０を有している。基材フィルム７１１とテープ状マスク７０とは、第１の接着層７２０によって接着している。また、テープ状マスク７０のカバーフィルム側の面には、第２の接着層７３０が形成されている。第２の接着層７３０は、テープ状マスク７０の接着部７１に対応する領域に形成される。すなわち、第２の接着層７３０が形成されない領域は、テープ状マスク７０の非接着部７２である。なお、第２の接着層７３０をテープ状マスク７０の一方の面全体に形成し、非接着部７２に相当する領域に印刷を施すことで接着剤の粘着性を弱めることにより非接着部７２を形成してもよい。
【００８２】
ここで、測定テープ７００からテープ状マスク７０を検査用眼鏡レンズ１２に貼り付ける手順を具体的に説明する。
まず、カバーフィルム７１２を基材フィルム７１１から剥離する。カバーフィルム７１２と第２の接着層７３０との接着強度は、テープ状マスク７０と第２の接着層７３０との接着強度より弱い。したがって、カバーフィルム７１２と第２の接着層７３０との間で剥離する。これにより、テープ状マスク７０の表面に第２の接着層７３０が露出する。
次に、テープ状マスク７０の表面に露出した第２の接着層７３０にアクリル樹脂製の検査用眼鏡レンズ１２を押し付け、テープ状マスク７０を検査用眼鏡レンズ１２に貼り付ける。
そして、基材フィルム７１１をテープ状マスク７０から剥離する。テープ状マスク７０と第１の接着層７２０との接着強度は、基材フィルム７１１と第１の接着層７２０との接着強度より弱い。したがって、テープ状マスク７０と第１の接着層７２０との間で剥離する。これにより、テープ状マスク７０は第２の接着層７３０を介して検査用眼鏡レンズ１２に貼り付けられた状態となる。
次に、検査用眼鏡レンズ１２に貼り付けられたテープ状マスク７０により眼球下転量の測定を行った後、テープ状マスク７０を検査用眼鏡レンズ１２から剥離する。このとき、検査用眼鏡レンズ１２と第２の接着層７３０との接着強度は、テープ状マスク７０と第２の接着層７３０との接着強度より弱いため、検査用眼鏡レンズ１２と第２の接着層７３０との間で剥離する。
このようにして検査用眼鏡レンズ１２は、テープ状マスク７０および第２の接着層７３０が全て除去され、元の状態に復元される。
【００８３】
以上のフィルムおよび接着剤の構成は以下の通りである。なお、上記の接着強度のバランスは、各フィルムに剥離剤を塗布することにより調整することができる。
例えば、基材フィルム７１１としては、ポリエチレンテレフタレート、ポリオレフィン、ポリスチレン、およびポリ塩化ビニル等からなる群より選択される少なくとも一種の材料を含むシートであることが好ましい。また、基材フィルム７１１の厚さは３μｍ以上５００μｍ以下であることが好ましい。
カバーフィルム７１２としては、ポリエチレンテレフタレート、ポリオレフィン、ポリスチレン、およびポリ塩化ビニル等からなる群より選択される少なくとも一種の材料を含むシートで、剥離剤が塗布されていることが好ましい。カバーフィルム７１２の厚さは３μｍ以上５００μｍ以下であることが好ましい。
テープ状マスク７０としては、ポリエチレンテレフタレート、ポリオレフィン、ポリスチレン、およびポリ塩化ビニル等からなる群より選択される少なくとも一種の材料を含むシートで、剥離剤が塗布されていることが好ましい。テープ状マスク７０の厚さは３μｍ以上５００μｍ以下であることが好ましい。
【００８４】
第一の接着層７２０に使用される接着剤としては、アクリル樹脂系、ゴム系、ウレタン樹脂系、シリコン樹脂系、ビニルエーテル系、およびエポキシ系樹脂系からなる群より選択される少なくとも一種の材料を含む層であることが好ましい。第一の接着層７２０の厚さは１μｍ以上２００μｍ以下であることが好ましい。
第二の接着剤７３０に使用される接着剤としては、アクリル樹脂系、ゴム系、ウレタン樹脂系、シリコン樹脂系、ビニルエーテル系、およびエポキシ系樹脂系からなる群より選択される少なくとも一種の材料を含む層であることが好ましい。第二の接着剤７３０の厚さは１μｍ以上２００μｍ以下であることが好ましい。
【００８５】
また、測定テープ７００は、両端縁付近に、基材フィルム７１１およびカバーフィルム７１２を貫通する貫通孔７４０が形成されている。貫通孔７４０は、治具貼付装置に載置する際、後述の治具貼付装置８００の係合部８４０に係合し、測定テープ７００を固定するものである。
【００８６】
次に、治具貼付装置８００の構成について説明する。図１１（Ａ）に示すように、治具貼付装置８００は、眼鏡１００を保持する眼鏡保持台８１０と、眼鏡保持台８１０の上面に設けられたレンズ載置部８２０と、眼鏡１００の位置を調整するためのフレーム支持部材８３０と、測定テープ７００の貫通孔７４０と係合する係合部８４０と、を備えている。
【００８７】
眼鏡保持台８１０は、図１１（Ｂ）に示すように、眼鏡１００を載置したときに検査用眼鏡レンズ１２と対向する載置面８１１を上面として有する直方体状に形成され、載置面８１１には、検査用眼鏡レンズ１２と対向する位置にレンズ載置部８２０を収納可能な矩形状の一対の凹部８１２と、一対の凹部８１２に挟まれた領域に載置面８１１の高さより低い位置に上面を有する中間部８１３と、を有している。
【００８８】
レンズ載置部８２０は、一対の凹部８１２にそれぞれ収納可能な矩形状の低反発弾性素材である。低反発弾性素材としては、検査用眼鏡レンズ１２の表面を傷つけず適度な弾性があるものが好ましく、例えばウレタンが用いられる。
眼鏡保持台８１０およびレンズ載置部８２０の表面には、テープ状マスク７０のＦＰライン７３との位置合わせを行うための左右方向に延びる位置合わせラインＰＬと、中間部８１３上でフレーム２０の中央線との位置あわせを行うための上下方向に延びるフレーム基準線ＢＬと、が形成されている。
【００８９】
フレーム支持部材８３０は、位置合わせラインＰＬに平行な長尺状の部材であり、検査用眼鏡レンズ１２の上下方向に移動自在とされている。フレーム支持部材８３０は、フレーム枠２１の下辺２１１に接した状態で移動することにより、眼鏡１００の位置を調整する。フレーム支持部材８３０は手動で調整可能とされている。
係合部８４０は、一対のレンズ載置部８２０の外側に凸状に形成されている。係合部８４０は、測定テープ７００の貫通孔７４０と係合して測定テープ７００を固定する。
したがって、治具貼付装置８００の位置合わせラインＰＬと係合部８４０の位置関係と、測定テープ７００のＦＰライン７３と貫通孔７４０との位置関係と、が一致するようにそれぞれを設計する。
【００９０】
（３．眼球下転量測定方法）
次に、治具貼付装置８００を用いてテープ状マスク７０を検査用眼鏡レンズ１２に貼り付けるマスク貼付工程と、貼り付けられたテープ状マスク７０により、眼球下転量を測定する測定工程について説明する。
（３−１．マスク貼付工程）
図１２（Ａ）に示すように、治具貼付装置８００の載置面８１１上に、測定テープ７００を載置する。このとき、測定テープ７００の一対の貫通孔７４０を治具貼付装置８００の係合部８４０に係合させて、測定テープ７００の位置を固定する。ここで、位置合わせラインＰＬとＦＰライン７３とが一致することを確認する。
【００９１】
次に、フレーム支持部材８３０の位置決めを行う。眼鏡１００の眼鏡フレーム２０を開き、検査用眼鏡レンズ１２の外側の表面が測定テープ７００に接する向きに眼鏡１００を治具貼付装置８００の載置面８１１に載置する（図１２（Ｂ）参照）。このとき、フレーム２０の中心がフレーム基準線ＢＬに一致するように載置する。検査用眼鏡レンズ１２には、予め遠用アイポイントＦＰが確定され、その位置にマークが付けられている。したがって、検査用眼鏡レンズ１２の遠用アイポイントＦＰと位置合わせラインＰＬまたはＦＰライン７３とが一致するように、フレーム支持部材８３０をフレーム枠２１に当接させた状態で眼鏡１００の位置の微調整を行う。
【００９２】
フレーム支持部材８３０の位置が決まると、眼鏡１００を治具貼付装置８００から一旦取り外し、測定テープ７００のカバーフィルム７１２を基材フィルム７１１から剥離する。これにより、テープ状マスク７０の第２の接着層７３０が露出する。
そして、眼鏡１００がフレーム基準線ＢＬおよびフレーム支持部材８３０に当接するように、一対の検査用眼鏡レンズ１２の外側の表面を一対のレンズ載置部８２０の低反発性素材に押し付ける。これにより、図１２（Ｃ）に示すように、検査用眼鏡レンズ１２とテープ状マスク７０が第２の接着層７３０を介して接着する。
【００９３】
次に、図１３に示すように、眼鏡１００を基材フィルム７１１から剥離する。このとき、テープ状マスク７０と第１の接着層７２０との間で剥離して基材フィルム７１１から離れ、テープ状マスク７０は第２の接着層７３０を介して検査用眼鏡レンズ１２に貼り付いた状態となる。これにより、図８に示すようなテープ状マスク７０が貼り付けられた眼鏡１００となり、眼球下転量を測定可能な状態となる。
【００９４】
（３−２．測定工程）
次に、検査用眼鏡レンズ１２に貼り付けられたテープ状マスク７０により眼球下転量を測定する測定工程について説明する。
装着者は、検査用眼鏡レンズ１２にテープ状マスク７０が貼り付けられた眼鏡１００を装着し、遠方視および近方視した際の視線の位置を確認する。
具体的には、眼鏡１００を装着した状態で正面視した場合の瞳中心（視線）が、テープ状マスク７０のＦＰライン７３を通過するか否かを確認する。次に、眼鏡１００を装着した状態で、読書をしている（近方視）場合の瞳中心（視線）がどの位置を通過するかを確認する。本実施形態では、第１のＮＰライン７４、第２のＮＰライン７５、および第３のＮＰライン７６が形成されているので、装着者はこれらのラインのうち、自分の視線が通過する位置と最も近いラインを判断する。
【００９５】
ここで、このような眼鏡１００を装着した装着者に実際に見えるラインについて説明する。装着者が眼鏡１００を装着して近方視すると、第１のＮＰライン７４、第２のＮＰライン７５、および第３のＮＰライン７６はそれぞれ実際のラインの幅よりも広くぼやけた状態に見える（反射色）。図１４に、第１のＮＰライン７４、第２のＮＰライン７５、および第３のＮＰライン７６と、各ラインとその周辺部における模式的な吸光スペクトルを示す。この吸光スペクトルは、第１のＮＰライン７４、第２のＮＰライン７５、および第３のＮＰライン７６の中央の位置で吸収極大となり、各ラインから離れるほど吸収が小さくなっている。すなわち、第１のＮＰライン７４、第２のＮＰライン７５、および第３のＮＰライン７６の中央の位置が最も濃く、その周辺部に向かうほど薄く見えるグラデーションとなっている。第１のＮＰライン７４のグラデーションが終了する位置をそれぞれ第１の境界ライン７４１および第２の境界ライン７４２とし、第２のＮＰライン７５のグラデーションが終了する位置をそれぞれ第３の境界ライン７５１および第４の境界ライン７５２とし、第３のＮＰライン７６のグラデーションが終了する位置をそれぞれ第５の境界ライン７６１および第６の境界ライン７６２とすると、第２の境界ライン７４２と第３の境界ライン７５１との間に新たな白いラインが見える（透過光）。同様に、第４の境界ライン７５２と第５の境界ライン７６１との間に新たな白いラインが見える（透過光）。すなわち、実際に形成した第１のＮＰライン７４、第２のＮＰライン７５、および第３のＮＰライン７６の３本のラインよりも多くのラインが見えることになる（反射光と透過光の組み合わせ）。
【００９６】
以上のように、テープ状マスク７０に実際に形成した第１のＮＰライン７４、第２のＮＰライン７５、および第３のＮＰライン７６とは異なる新たな白いラインを含めた５本のライン（反射光と透過光の組み合わせ）が装着者には見えるので、これらの５本のラインのうち自分の視線が通る位置に最も近いラインを判断することにより測定する。そして、選択されたラインとＦＰライン７３との距離が、該装着者に対応する眼球下転量の長さとなる。
【００９７】
（４．第２実施形態の作用効果）
以上のような第２実施形態によれば、以下の作用効果を奏することができる。
本実施形態では、遠用アイポイントを示すＦＰライン７３、近用アイポイントを示す第１のＮＰライン７４、第２のＮＰライン７５、第３のＮＰライン７６が形成されたテープ状マスク７０を用いて眼球下転量の長さを測定する。
これによれば、装着者が実際に装着する眼鏡１００を装着した状態で測定を行うことができるので、装着者の頭および眼球運動（視覚動作）だけでなく、装着者の姿勢にも応じた測定を行うことができる。したがって、眼鏡フレームや装着者の物を見るときの癖にも応じた個々に最適な眼球下転量の長さを精度高く測定することができる。
【００９８】
また、装着者は、テープ状マスク７０が貼り付けられた眼鏡１００を装着し、近方視したときの視線の位置が検査用眼鏡レンズ１２上の複数のラインのうちどのラインに最も近いかを判断するだけでよいので、装着者に負担をかけることなくより簡単に測定を行うことができる。
特に、第２実施形態では、実際に測定を行う際には、装着者には、テープ状マスク７０に形成された第１のＮＰライン７４、第２のＮＰライン７５、および第３のＮＰライン７６の３本にラインよりも多くのラインが見える。通常、ラインの数が多いほどライン間の距離が狭くなるので、測定の精度が向上する。したがって、少ないラインの数であっても精度高く測定を行うことができる。
なお、第１のＮＰライン７４、第２のＮＰライン７５、および第３のＮＰライン７６の幅や間隔を調整することで、装着者に実際に見えるラインの数を調整することができるため、有用性が高い。
【００９９】
さらに、第２実施形態の治具貼付装置８００は、レンズ載置部８２０が低反発性素材から構成されているので、載置面８１１に固定されたテープ状マスク７０に対して検査用眼鏡レンズ１２を押し付けるだけでよい。したがって、簡単にテープ状マスク７０を貼り付けることができる。
特に、店頭等にいる測定実施者にとって、検査用眼鏡レンズ１２をテープ状マスク７０に押し付けるだけで貼り付けることができるので、簡単に測定の準備を行うことができ、有用性が高い。
【０１００】
そして、上記第２実施形態では、一対のレンズ載置部８２０の間に載置面８１１およびレンズ載置部８２０の上面よりも高さが低い中間部８１３が設けられている。これによれば、眼鏡１００を載置面８１１上に載置したとき、ブリッジ２２が中間部８１３に適合するため、眼鏡１００の位置を安定させることができる。
また、テープ状マスク７０は、非接着部７２を有しているので、非接着部７２を把持することにより簡単にテープ状マスク７０を検査用眼鏡レンズ１２から剥離することができる。
【０１０１】
〔変形例〕
なお、本発明は上記実施形態に限定されるものではなく、本発明の目的および効果を達成できる範囲内での変形や改良が、本発明の内容に含まれるものであることはいうまでもない。
例えば、上記第１実施形態では、フレーム支持部材５２が自動で移動することとしたが、手動で位置合わせを行うこととしてもよい。これによれば、フレーム支持部材５２を制御する制御手段を必要としないため、より簡単な構成とすることができる。
【０１０２】
また、上記第１実施形態では、一方の検査用眼鏡レンズ１２にテープ状マスク３を貼り付けた後、ベース５１を左右方向に移動させることにより、他方の検査用眼鏡レンズ１２にテープ状マスク３を貼り付ける工程としたが、これに限られない。例えば、レンズ貼付部材６４の制御部６４２を延長し、左右の検査用眼鏡レンズ１２の両方に把持部６４１を移動可能とした構成とすることもできる。これによれば、ベース５１を移動させる必要がなく、把持部６４１のみの位置合わせを調整すればよいため、位置合わせがより安定する。
【０１０３】
また、上記第１実施形態では、テープ状マスク３の端部を折り曲げることによって折曲部３２を形成したが、把持部６４１で把持できる形態であればこれに限られない。例えば、テープ基材３１の端部から所定の距離までに、粘着性を有しない部材を粘着部３１１に貼り付けてもよい。これによれば、１つの部材をテープ基材３１の粘着部３１１に貼り付けるだけでよいので、簡単な構成のテープ供給装置とすることができる。
【０１０４】
また、上記第１実施形態では、ベース５１の載置面５１１を平面状に形成したが、眼鏡フレーム２０（眼鏡１００）をより安定して支持するために、ブリッジ２２に係合する凸状部が載置面５１１上に設けられていてもよい。この場合、眼鏡フレーム２０は、載置面５１１および凸状部に沿って移動自在となる。これによれば、眼鏡１００の左右方向への移動を防止することができ、眼鏡１００の位置をより安定させることができるため、テープ状マスク２の検査用眼鏡レンズ１２への貼り付けをより精度高く行うことができる。
【０１０５】
さらに、上記第２実施形態では、テープ状マスク７０に形成した第１のＮＰライン７４、第２のＮＰライン７５、および第３のＮＰライン７６の間隔を２ｍｍとしたが、これに限られない。例えば、これらの間隔を０．５ｍｍとすると、装着者には、各ライン間に、各ラインの色が合成された色からなる新たなライン（反射光）が見えることになる。すなわち、第１のＮＰライン７４（赤色）と第２のＮＰライン７５（緑色）との間に黄色の新たなラインが見え、第２のＮＰライン７５（緑色）と第３のＮＰライン７６（青色）との間にはシアン色の新たなラインが見える。これは、図１５に示すように、第１のＮＰライン７４と第２のＮＰライン７５との間隔が狭いため、第１のＮＰライン７４のぼやけた部分と第２のＮＰライン７５のぼやけた部分とが重なり合うためである。
これによれば、各ラインの幅、間隔および色を調整するだけで、それぞれ異なる色のラインを見える状態にすることができる。色の種類が豊富であるので、装着者には判断しやすく、装着者の負担を低減することができる。
【０１０６】
また、上記第２実施形態では、テープ状マスク７０に形成した第１のＮＰライン７４、第２のＮＰライン７５、および第３のＮＰライン７６は、互いに異なる色で形成されているが、これらは同一の色で形成されていてもよい。これによれば、インクの種類を少なくすることができるので、コスト低減を図ることができる。
【０１０７】
また、上記第２実施形態では、治具貼付装置８００の位置合わせラインＰＬと係合部８４０の位置関係と、測定テープ７００のＦＰライン７３と貫通孔７４０の位置関係とを一致させる設計であったが、治具貼付装置８００の係合部８４０を上下方向に移動可能にしてもよい。これによれば、治具貼付装置８００と測定テープ７００の設計および製造をそれぞれ自由にすることができるので、汎用性が高い。
【０１０８】
そして、上記第２実施形態では、治具貼付装置８００のレンズ載置部８２０を一対形成し、一対のレンズ載置部８２０の間に中間部８１３を設ける構成としていたが、図１６（Ａ）および（Ｂ）に示すように、一対のレンズ載置部８２０を連結した形状の眼鏡載置部９２０としてもよい。眼鏡載置部９２０は、低反発性素材で構成されているため、眼鏡１００を載置したとき、眼鏡１００のブリッジ２２は低反発性素材に押し付けられて、安定して位置合わせを行うことができる。
【０１０９】
また、上記第２実施形態では、テープ状マスク７０に遠用アイポイントラインＦＬを示すＦＰライン７３を形成しているが、図１７に示すように、テープ状マスクの一辺を遠用アイポイントラインとしてもよい。すなわち、治具貼付装置８００の位置合わせラインＰＬにテープ状マスク８０の一辺を一致させる。これによれば、テープ状マスク８０に遠用アイポイントを示すラインを形成しなくてよいので、テープ状マスク８０の製造を簡略化することができる。
さらに、上記第２実施形態では、測定テープ７００は、基材フィルム７１１とカバーフィルム７１２との間にテープ状マスク７０を有する構成となっていたが、この構成に限られない。例えば、図１８に示すように、１枚の基材フィルム７９０に切欠部７９１を形成することにより、テープ状マスク７０を切取可能に形成してもよい。この場合、テープ状マスク７０は容易に切り取れるように、切欠部７９１を長く形成し連結部を少なく形成することが好ましく、例えばテープ状マスク７０の四隅のみを連結させる状態に形成する。これによれば、材料コストの低減を図ることができる。
【０１１０】
また、上記実施形態では、検査用眼鏡レンズ１２にテープ状マスクを貼り付けて眼球下転量の測定を行ったが、測定された眼球下転量に基づいて設計された累進屈折力レンズ（眼鏡レンズ１０）を眼鏡フレーム２０に装着した眼鏡１００に対してテープ状マスクを貼り付けてもよい。これによれば、設計された累進屈折力レンズの眼球下転量の確認を行うことができ、精度を高めることができる。すなわち、個々の装着者の視覚動作に応じた眼鏡レンズを提供することができる。
【産業上の利用可能性】
【０１１１】
本発明は、累進屈折力レンズの眼球下転量を簡単に測定する測定治具として、眼鏡の販売店等で広く利用することができる。
【符号の説明】
【０１１２】
１０…眼鏡レンズ、１２…検査用眼鏡レンズ、２０…眼鏡フレーム、１００…眼鏡、３…テープ状マスク、３１…テープ基材、３１１…粘着部、３２…折曲部、３３…第１辺、３４…第２辺、４００…治具貼付装置、５…眼鏡保持部材、５１…ベース、５２…フレーム支持部材、６…テープ供給部材、６１…送出部、６１１…送出テープ、６２…カッター部、６２１…切断部、６２２…切断受部、６２３…折曲支持部、６２４…折曲生成部、６２５…折曲仕上部、６３…接着処理部、６３１…圧着部材、６４…レンズ貼付部材、６４１…把持部。
【図１】
2011048321.tif 000003
【図２】
2011048321.tif 000004
【図３】
2011048321.tif 000005
【図４】
2011048321.tif 000006
【図５】
2011048321.tif 000007
【図６】
2011048321.tif 000008
【図７】
2011048321.tif 000009
【図８】
2011048321.tif 000010
【図９】
2011048321.tif 000011
【図１０】
2011048321.tif 000012
【図１１】
2011048321.tif 000013
【図１２】
2011048321.tif 000014
【図１３】
2011048321.tif 000015
【図１４】
2011048321.tif 000016
【図１５】
2011048321.tif 000017
【図１６】
2011048321.tif 000018
【図１７】
2011048321.tif 000019
【図１８】
2011048321.tif 000020